Podtech/llm-jp-corpus-v4-ja_patent huggingface dataset:
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
ユーザ端末であって、
ビデオ信号を受信する入力部と、
前記ビデオ信号から導出されるビデオ画像を、前記ユーザ端末におけるユーザに表示するディスプレイと、
前記ビデオ信号から導出される前記ビデオ画像を拡張するための少なくとも１つのエフェクトを、前記ユーザ端末における前記ユーザから受け取る選択入力部と、
選択された前記エフェクトに従って前記ビデオ信号を変更することにより拡張される、前記ビデオ信号から導出される前記ビデオ画像を前記ディスプレイ上にレンダリングするレンダリング・デバイスと、
を備え、
前記ユーザ端末は、前記ディスプレイ上に表示される画像のサブ部分に、選択された前記エフェクトと同じエフェクトを適用するというインジケーションを受信するよう構成され、
前記レンダリング・デバイスは、前記ディスプレイ上に表示される前記画像の前記サブ部分に、選択された前記エフェクトと同じエフェクトをレンダリングするよう構成される、ユーザ端末。
【請求項２】
前記レンダリング・デバイスは、
前記の受信されたビデオ信号を復号化するよう構成されるデコーダと、
前記の復号化されたビデオ信号に選択された前記エフェクトを加えることにより、前記ビデオ信号の前記変更を実行し、前記ディスプレイ上に前記の拡張されるビデオ画像をレンダリングするための表示制御信号を生成するよう構成されるポスト処理部であって、前記表示制御信号は、選択された前記エフェクトを組み込む、ポスト処理部と、
を有する、請求項１記載のユーザ端末。
【請求項３】
前記ユーザ端末からリモート端末に選択された前記エフェクトのインジケーションを送信する送信部
を備える、請求項１記載のユーザ端末。
【請求項４】
前記ユーザ端末から前記リモート端末に送信されるビデオ画像を符号化するよう動作可能なエンコーダであって、前記ユーザ端末から送信されるビデオ信号に前記インジケーションを挿入するよう動作可能なエンコーダ
を備える、請求項３記載のユーザ端末。
【請求項５】
前記ユーザ端末におけるユーザの画像をキャプチャするカメラであって、前記ディスプレイは、前記のキャプチャされた画像をレンダリングするよう動作可能である、カメラ
を備える、請求項１記載のユーザ端末。
【請求項６】
前記ユーザ端末において受信された前記ビデオ信号は、リモート端末におけるユーザにより選択されたエフェクトを示し、前記ユーザ端末は、前記リモート端末において選択された前記エフェクトを用いて拡張される、前記カメラによりキャプチャされた前記画像を表示するよう構成される合成機能を備える、請求項５記載のユーザ端末。
【請求項７】
ビデオ画像をレンダリングする方法であって、
ユーザ端末において、リモート端末から、選択されたエフェクトのインジケーションを受信するステップと、
前記ユーザ端末におけるユーザの画像をキャプチャするステップと、
前記ユーザ端末においてキャプチャされた前記画像を、前記ユーザ端末のディスプレイにレンダリングするステップであって、前記選択されたエフェクトに従って前記画像を変更することにより前記画像を拡張するステップを含むステップと、
前記ユーザ端末の前記ユーザが、前記選択されたエフェクトと同じエフェクトを前記リモート端末において適用させることを可能にする通知を表示するステップと、
を含む、方法。
【請求項８】
前記ユーザ端末におけるユーザの画像をキャプチャして、ビデオ信号において該画像をリモート端末に送信するステップであって、該ステップにより、前記ユーザ端末における該ユーザの該画像は、前記選択されたエフェクトにより拡張されて、前記リモート端末におけるディスプレイ上にレンダリングされる、ステップ
をさらに含む、請求項７記載の方法。
【請求項９】
前記選択されたエフェクトにより拡張される、前記ユーザ端末における前記ユーザのキャプチャされた画像を、ソーシャル・ネットワーク・サイト上に表示させるステップ
をさらに含む、請求項７記載の方法。
【請求項１０】
コンピューティング・デバイスに、
第１の端末において、ビデオ信号を受信する動作と、
前記の受信されたビデオ信号から導出されるビデオ画像を拡張するための少なくとも１つのエフェクトの選択を、前記第１の端末におけるユーザから受け取る動作と、
選択された前記エフェクトを前記ビデオ信号に加えることにより拡張される、前記ビデオ信号から導出されるビデオ画像を、前記第１の端末におけるディスプレイ上にレンダリングする動作と、
前記ディスプレイ上に表示される画像のサブ部分に、選択された前記エフェクトと同じエフェクトが適用されることを示す適用エフェクト・インジケータを受信する動作と、
前記ディスプレイ上に表示される前記画像の前記サブ部分に、選択された前記エフェクトと同じエフェクトをレンダリングする動作と、
を実行させるコンピュータ・プログラム。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
配列番号２、５、８、１１、１４、１７、２０、２３、２６、２９、３２、３５、３８、４１、４４、４７、５０、５３、５６、５９、または６２に示されるヌクレオチド配列に少なくとも６０％同一であるヌクレオチド配列、またはそのいずれかの組合せ、またはその相補体を備え、前記単離されたポリヌクレオチドがペクチン分解を増強するポリペプチドをコードする、単離されたポリヌクレオチド配列。
【請求項２】
配列番号２、５、８、１１、１４、１７、２０、２３、２６、２９、３２、３５、３８、４１、４４、４７、５０、５３、５６、５９、または６２に示されるヌクレオチド配列に少なくとも６０％同一であるヌクレオチド配列、またはそのいずれかの組合せ、またはその相補体を備える単離されたポリヌクレオチド配列に中程度のストリンジェンシー条件下でハイブリダイズする核酸プローブであって、前記中程度のストリンジェンシー条件が、６×塩化ナトリウム／クエン酸ナトリウム（ＳＳＣ）中、約４５℃でのフィルター結合ＤＮＡへのハイブリダイゼーション、続いての、０．２×ＳＳＣ／０．１％ＳＤＳ中、約５０〜約６５℃での１回以上の洗浄を含む、核酸プローブ。
【請求項３】
ｃＤＮＡである請求項１に記載の単離されたポリヌクレオチド配列、または請求項２に記載の核酸プローブ。
【請求項４】
ＲＮＡである請求項１に記載の単離されたポリヌクレオチド配列、または請求項２に記載の核酸プローブ。
【請求項５】
一本鎖であるである請求項１に記載の単離されたポリヌクレオチド配列、または請求項２に記載の核酸プローブ。
【請求項６】
異種タンパク質またはペプチドをコードするコーディング配列内の停止コドンによって中断されていない請求項１に記載の単離されたポリヌクレオチド配列を含む核酸分子。
【請求項７】
請求項１に記載の単離されたポリヌクレオチド配列を含む組換え構築物。
【請求項８】
２、５、８、１１、１４、１７、２０、２３、２６、２９、３２、３５、３８、４１、４４、４７、５０、５３、５６、５９、６２、１、４、７、１０、１３、１６、１９、２２、２５、２８、３１、３４、３７、４０、４３、４６、４９、５２、５５、５８、または６１に示されたヌクレオチド配列に少なくとも６０％同一であるヌクレオチド配列またはそのいずれかの組合せ、またはその相補体を含む単離されたポリヌクレオチド配列を備えた発現構築物であって、前記ポリヌクレオチド配列は、宿主細胞において前記ヌクレオチド配列の発現を制御する転写または翻訳調節シグナル、またはその両方を含有する調節ヌクレオチド配列と操作可能に連結されている、発現構築物。
【請求項９】
請求項１に記載の単離されたポリヌクレオチド配列を含む遺伝子操作された宿主細胞。
【請求項１０】
ポリペプチドを産生するために有効な条件下で請求項８に記載の発現構築物で形質転換された細胞を培養する工程、および
前記ポリペプチドを単離する工程
を備え、または前記工程からなる、ポリペプチドを作製する方法。
【請求項１１】
アミノ酸配列を含む単離されたポリペプチドであって、前記アミノ酸配列は、配列番号３、６、９、１２、１５、１８、２１、２４、２７、３０、３３、３６、３９、４２、４５、４８、５１、５４、５７、６０および６３、またはそのいずれかの組合せからなる群より選択されるアミノ酸配列に対して少なくとも６０％同一であり、かつ、ペクチン酸リアーゼ、ペクチン酸リアーゼ（ｌｙｓｅ）Ｃ、ペクチンエステラーゼ、およびラムノガラクツロナーゼ、またはそのいずれかの組合せからなる群より選択される酵素の触媒活性を示す単離されたポリペプチドであって、ペクチン分解を増強する、単離されたポリペプチド。
【請求項１２】
共有結合を介して第２のポリペプチドのアミノ酸配列に融合されている請求項１１に記載のポリペプチドを含むキメラタンパク質。
【請求項１３】
請求項８に記載の発現構築物を含む、形質転換体。
【請求項１４】
請求項８に記載の発現構築物を含む、トランスジェニック真菌Ｍ．ｐｈａｓｅｏｌｉｎａ。
【手続補正書】
【提出日】平成28年9月15日(2016.9.15)
【手続補正１】
【補正対象書類名】明細書
【補正対象項目名】０１３９
【補正方法】変更
【補正の内容】
【０１３９】
ｇｔｆ６８５５（配列番号４）、７５２７（ｇｔｆＪ、配列番号８）、１７２４（配列番号１０）、５９２６（配列番号１４）、２７６５（配列番号２０）、０４２７（配列番号２６）、２９１９（配列番号２８）、２６７８（配列番号３０）、および３９２９（配列番号３４）のみが、１００％のα−１，３結合を含んでなり少なくとも１００のＤＰｎを有するグルカンポリマーを生成した。３０個のｇｔｆ中、９個のみが、１００％のα−１，３結合と少なくとも１００のＤＰｎがあるグルカンを生成できたという、これらの結果は、全てのｇｔｆ酵素が、高レベルのα−１，３結合がある高分子量の不溶性グルカンを生成できるとは限らないことを示唆する。より少数のｇｔｆ酵素は、１００％のα−１，３結合を含んでなり少なくとも２５０のＤＰｎを有するグルカンポリマーを生成できた。
したがって１００％のα−１，３結合と少なくとも１００のＤＰｎを含んでなるグルカンポリマーを生成できるｇｔｆ酵素が、同定された。これらの酵素を使用して、繊維の生産に適するグルカンを生成し得る。
【手続補正２】
【補正対象書類名】明細書
【補正対象項目名】０１４０
【補正方法】変更
【補正の内容】
【０１４０】
以上、本発明を要約すると下記のとおりです。
１．水、スクロース、およびポリα−１，３−グルカンを合成するグルコシルトランスフェラーゼ酵素を含む反応溶液であって、前記グルコシルトランスフェラーゼ酵素が、配列番号４、配列番号１０、配列番号１２、配列番号１４、配列番号２０、配列番号２６、配列番号２８、配列番号３０、または配列番号３４と、少なくとも９０％同一であるアミノ酸配列を含む、反応溶液。
２．前記グルコシルトランスフェラーゼ酵素が、少なくとも５０％のα−１，３グリコシド結合と少なくとも１００の数平均重合度とを有する、ポリα−１，３−グルカンを合成する、上記１に記載の反応溶液。
３．前記グルコシルトランスフェラーゼ酵素が、１００％のα−１，３グリコシド結合と少なくとも１００の数平均重合度とを有する、ポリα−１，３−グルカンを合成する、上
記２に記載の反応溶液。
４．前記グルコシルトランスフェラーゼ酵素が、１００％のα−１，３グリコシド結合と少なくとも２５０の数平均重合度とを有する、ポリα−１，３−グルカンを合成する、上記３に記載の反応溶液。
５．プライマーをさらに含む、上記１に記載の反応溶液。
６．前記プライマーがデキストランである、上記５に記載の反応溶液。
７．前記プライマーが加水分解グルカンである、上記５に記載の反応溶液。
８．ａ）少なくとも水、スクロース、およびポリα−１，３−グルカンを合成するグルコシルトランスフェラーゼ酵素を接触させるステップと、
ｂ）任意選択的に、ステップ（ａ）で生成されるポリα−１，３−グルカンを単離するステップと
を含んでなり、前記グルコシルトランスフェラーゼ酵素が、配列番号４、配列番号１０、配列番号１２、配列番号１４、配列番号２０、配列番号２６、配列番号２８、配列番号３０、または配列番号３４と、少なくとも９０％同一であるアミノ酸配列を含み；それによってポリα−１，３−グルカンが生成される、ポリα−１，３−グルカンを生成する方法。
９．前記グルコシルトランスフェラーゼ酵素が、少なくとも５０％のα−１，３グリコシド結合と少なくとも１００の数平均重合度とを有する、ポリα−１，３−グルカンを合成する、上記８に記載の方法。
１０．前記グルコシルトランスフェラーゼ酵素が、１００％のα−１，３グリコシド結合と少なくとも１００の数平均重合度とを有する、ポリα−１，３−グルカンを合成する、上記９に記載の方法。
１１．前記グルコシルトランスフェラーゼ酵素が、１００％のα−１，３グリコシド結合と少なくとも２５０の数平均重合度とを有する、ポリα−１，３−グルカンを合成する、上記１０に記載の方法。
１２．ステップ（ａ）が、プライマーと、前記水、スクロース、およびグルコシルトランスフェラーゼ酵素とを接触させるステップをさらに含む、上記８に記載の方法。
１３．前記プライマーが、デキストランである、上記１２に記載の方法。
１４．前記プライマーが、加水分解グルカンである、上記１２に記載の方法。
【手続補正３】
【補正対象書類名】特許請求の範囲
【補正対象項目名】全文
【補正方法】変更
【補正の内容】
【特許請求の範囲】
【請求項１】
水、スクロース、およびポリα−１，３−グルカンを合成するグルコシルトランスフェラーゼ酵素を含む反応溶液であって、前記グルコシルトランスフェラーゼ酵素が、配列番号４、配列番号１０、配列番号１２、配列番号１４、配列番号２０、配列番号２６、配列番号２８、配列番号３０、または配列番号３４と、少なくとも９０％同一であるアミノ酸配列を含む、反応溶液。
【請求項２】
ａ）少なくとも水、スクロース、およびポリα−１，３−グルカンを合成するグルコシルトランスフェラーゼ酵素を接触させるステップと、
ｂ）任意選択的に、ステップ（ａ）で生成されるポリα−１，３−グルカンを単離するステップと
を含んでなり、前記グルコシルトランスフェラーゼ酵素が、配列番号４、配列番号１０、配列番号１２、配列番号１４、配列番号２０、配列番号２６、配列番号２８、配列番号３０、または配列番号３４と、少なくとも９０％同一であるアミノ酸配列を含み；それによってポリα−１，３−グルカンが生成される、ポリα−１，３−グルカンを生成する方法。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
組織中に存在する単細胞を溶解させる方法であって、
a）細胞を組織から同定する段階；
b）界面活性剤を含有する溶解バッファーを、同定された細胞の細胞内空間と接触させる段階；
c）溶解バッファーを、同定された細胞の細胞内空間内に、ある期間にわたって行き渡らせる段階であって、該細胞が該細胞の内側から溶解される、段階；および
d）ライセートを収集する段階
を含む、方法。
【請求項２】
組織固定および組織離解なしで行われる、請求項1記載の方法。
【請求項３】
単離された細胞が器官型培養物の中にある、請求項1記載の方法。
【請求項４】
ライセートが、吸引チャンネルを用いてライセートを吸引することによって収集される、請求項1記載の方法。
【請求項５】
吸引チャンネルが吸引用屈曲マイクロピペットである、請求項4記載の方法。
【請求項６】
収集されたライセートがニトロセルロースパッドにさらに適用される、請求項1記載の方法。
【請求項７】
標準物質もニトロセルロースパッドに適用される、請求項6記載の方法。
【請求項８】
ライセートが分析方法を用いて評価される、請求項1記載の方法。
【請求項９】
分析方法が質量分析法、タンパク質マイクロアレイ、RT-qPCR、RNA-Seq、およびMALDI-MSからなる群より選択される、請求項8記載の方法。
【請求項１０】
細胞が生きた固形組織の一部である、請求項1記載の方法。
【請求項１１】
界面活性剤がドデシル硫酸ナトリウムである、請求項1記載の方法。
【請求項１２】
組織中に存在する細胞を分析する方法であって
a）細胞を組織から同定する段階；
b）界面活性剤を含有する溶解バッファーを、同定された細胞の細胞内空間と接触させる段階；
c）溶解バッファーを、同定された細胞の細胞内空間内に、ある期間にわたって行き渡らせる段階であって、該細胞が該細胞の内側から溶解される、段階；
d）ライセートを収集する段階；
e）収集されたライセートを固体支持体に適用する段階；および
f）収集されたライセートを、分析方法を用いて評価する段階
を含む、方法。
【請求項１３】
同定された細胞の細胞外膜が、ライセートを収集する前はインタクトまたはほとんどインタクトである、請求項1記載の方法。
【請求項１４】
同定された細胞の細胞外膜が、ライセートを収集する前はインタクトまたはほとんどインタクトである、請求項12記載の方法。
【請求項１５】
組織と、該組織中に存在する、細胞内空間を有する細胞と、該組織中に存在する溶解バッファーとを含む組成物であって、該溶解バッファーの全てまたはほとんどが該細胞内空間に収まる、組成物。
【請求項１６】
溶解バッファーが界面活性剤を含む、請求項15記載の組成物。
【請求項１７】
界面活性剤がドデシル硫酸ナトリウムである、請求項16記載の組成物。
【請求項１８】
組織と、該組織中に存在する少なくとも2個の細胞と、該組織中に存在する溶解バッファーとを含む組成物であって、該少なくとも2個の細胞のそれぞれが細胞内空間を有し、該溶解バッファーの全てまたはほとんどが該少なくとも2個の細胞の該細胞内空間に収まる、組成物。
【請求項１９】
溶解バッファーが界面活性剤を含む、請求項18記載の組成物。
【請求項２０】
界面活性剤がドデシル硫酸ナトリウムである、請求項19記載の組成物。
【請求項２１】
(a)溶解バッファーを、第一の開口部を通して細胞の細胞内空間と接触させ、それによってライセートを作製するように構成された第一の微小なキャピラリーを備える第一のロボットアーム；
(b)第二の開口部を通してライセートを収集するように構成された第二の微小なキャピラリーを備える第二のロボットアーム；および
(c)該第一および第二のロボットアームに接続され、該第一および第二のロボットアームを制御するためにプログラムされたコンピュータ
を備えるロボットシステム。
【請求項２２】
第二の開口部が第一の開口部よりも大きい、請求項21記載のロボットシステム。
【請求項２３】
第一の開口部が、約0.01μm〜1μmである、請求項21記載のロボットシステム。
【請求項２４】
第二の開口部が、約1μm〜10μmである、請求項21記載のロボットシステム。
【請求項２５】
少なくとも2つの請求項21記載のロボットシステムを備えるシステムであって、該少なくとも2つのロボットシステムのそれぞれが単一のユーザインターフェイスで中央制御される、システム。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
（ａ）筺体と、
（ｂ）少なくとも１つのコンピュータプロセッサーおよびそのためのプログラム可能なユーザーインターフェースと、
（ｃ）超周囲圧力を供給するための手段と、
（ｄ）圧力伝導流体の温度および圧力を制御するための手段と、
（ｅ）通常の洗浄目的で、または試料パウチの破裂が生じた場合に、デバイスを汚染除去するための手段と、
（ｆ）不活化しようとする微生物、または可溶化してリフォールディングさせようとするペプチドを含む試料パウチを受容するように適合されたトレーまたはレセプタクルを、デバイスに受容させ、デバイス内に搬送し、デバイスから吐出させるための手段と
を含む、微生物を不活性化するための、又は、ペプチドを可溶化及びリフォールディングさせるための高圧デバイス。
【請求項２】
圧力手段が、ピストンを含む等方圧プレスを含み、
微生物の不活化状態をモニタリングする手段をさらに含み、
不活化をモニタリングする手段が、後続の生存率試験のために、パウチに無菌的に穿通して微生物の試料を採取できるニードルまたは他の適切なプローブを含む、請求項１に記載のデバイス。
【請求項３】
（ａ）一次流体チャンバー（８）；
（ｂ）増圧チャンバー（９）；
（ｃ）注入口（２）を介して流体を受容するように構成された高圧流体チャンバー（３）；
（ｄ）伸長させた位置と引き戻した位置との間を動くことができる圧力ラム／ピストン（５）；及び
（ｅ）ラム（５）が引き戻した位置から伸長した位置へ動く場合に、流体が高圧流体チャンバー（３）から流出しないように構成されたシール（６）およびプラグ（７）を含み、
圧力を、増圧デバイスから増圧チャンバー（９）に、次いで増圧チャンバー（９）から一次流体チャンバー（８）に連通し、
一次流体チャンバー（８）からの圧力を、引き戻した位置から伸長した位置へラム（５）を動かすことで、高圧流体チャンバー（３）に連通し、
加圧サイクルおよび減圧サイクルを完了させた後、排出口（４）を介して流体を放出させる、請求項１又は２に記載のデバイス。
【請求項４】
ワクチン組成物の成分として使用される微生物を調製するための微生物の高圧不活化方法であって、
（ａ）微生物を、規定された時間にわたり高圧にさらすステップと、
（ｂ）微生物が１００％不活化されたことを決定するステップと
により微生物を不活化することを含み、請求項３に記載のデバイスを用いて実施される、高圧不活化方法。
【請求項５】
百日咳菌（Ｂｏｒｄｅｔｅｌｌａ  ｐｅｒｔｕｓｓｉｓ）の細胞懸濁液の高圧不活化方法であって、
（ａ）百日咳菌の細胞懸濁液を培養培地中で作製するステップと、
（ｂ）最終容量（容量／容量）の２５％を超えない生理食塩液（０．９％のＮａＣｌ）または緩衝液が補充されていてもよい前記培養培地中で作製された細胞懸濁液を濃縮するステップと、
（ｃ）濃縮された細胞懸濁液を、５０℃〜５４℃（上下限値を含む）の温度で加熱するステップと、
（ｄ）熱処理され濃縮された細胞懸濁液を高圧処理により不活化するステップであり、圧力が２０００バールを超えるが、６０００バール未満であるステップと
を含み、請求項３に記載のデバイスを用いて実施される、高圧不活化方法。
【請求項６】
５０℃〜５４℃（上下限値を含む）の温度で加熱するステップを、３０分間続け、圧力が３０００バールと５０００バールの間である請求項５に記載の方法。
【請求項７】
全細胞百日咳ワクチンを製造するためのプロセスであって、
（ａ）濃縮された百日咳菌の細胞懸濁液を、請求項５又は６に記載の方法を用いて不活化するステップと、
（ｂ）百日咳菌の不活化された濃縮された細胞懸濁液を、薬学的に許容される賦形剤中で希釈し、それによって全細胞百日咳ワクチンを製造するステップと
を含むプロセス。
【請求項８】
微生物を、複数回の高圧サイクルで処理し、
微生物の不活化状態を、自動式生存率試験手段により、時間の関数としてモニタリングするステップと、
不活化された微生物の免疫原性を評価するステップとをさらに含む、請求項４に記載の方法。
【請求項９】
請求項３に記載のデバイスを使用して作製された高圧不活化病原体。
【請求項１０】
レプトスピラ菌属種；ブタ丹毒菌（Ｅｒｙｓｉｐｅｌｏｔｈｒｉｘ  ｒｈｕｓｉｏｐａｔｈｉａｅ）；及び、百日咳菌（Ｂｏｒｄｅｔｅｌｌａ  ｐｅｒｔｕｓｓｉｓ）からなる群から選択される、請求項９に記載の病原体。
【請求項１１】
請求項９または１０に記載の不活化病原体を含み、
不活化病原体の生きた毒性形態に対する防御的免疫応答を動物において誘発することが可能な、ワクチン組成物である、免疫原性組成物。
【請求項１２】
請求項１に記載の高圧デバイスによりリフォールディングさせたタンパク質を含む組成物。
【請求項１３】
タンパク質が、１０００バール〜５０００バールの高圧にさらされ、
少なくとも２０時間にわたり高圧が加えられ、
タンパク質を、大腸菌封入体から可溶化またはリフォールディングさせ、
尿素を含有しないかまたは低濃度の尿素を含有する緩衝液中で大腸菌封入体を調製し、
場合によって、ＤＴＴを含有する緩衝液中で大腸菌封入体を調製してもよく、かつ
場合によって、大腸菌封入体を、１０００バール〜５０００バールの範囲の高圧にさらにさらしてもよい、請求項１２に記載の組成物。
【請求項１４】
大腸菌封入体を、８３バール／分〜１２５バール／分で減圧した、請求項１３に記載の組成物。
【請求項１５】
原核生物または真核生物で発現する可溶性タンパク質の作製方法であって、
（ａ）尿素を含有しないかまたは低濃度の尿素を含有する緩衝液中で大腸菌封入体を調製して、封入体懸濁液を形成するステップと、
（ｂ）封入体懸濁液を高圧にさらすことにより、可溶性タンパク質を作製するステップとを含み、請求項３に記載のデバイスを用いて実施される、作製方法。
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
組換えレンチウイルスベクター（ＬＶ）であって、
突然変異Ｇｌｙ１６Ａｓｐ、Ｇｌｕ２２Ａｌａ、およびＴｈｒ８７Ｇｌｎを含む抗鎌状化−βグロビンポリペプチドをコードする抗鎌状化ヒトβグロビン遺伝子を含む核酸構築物を含む発現カセットを含み、
前記ＬＶは、ＴＡＴ非依存性および自己不活性化（ＳＩＮ）レンチウイルスベクターである、組換えレンチウイルスベクター。
【請求項２】
前記抗鎌状化ヒトβ−グロビン遺伝子は、ヒトβ−グロビン遺伝子５’プロモーターおよびヒトβ−グロビン３’エンハンサーの制御下でエクソンおよびイントロンを含む約２．３ｋｂの組換えヒトβ−グロビン遺伝子を含む、請求項１に記載のベクター。
【請求項３】
前記β−グロビン遺伝子は、ＩＶＳ２からの３７５ｂｐのＲｓａＩ欠失を有するβ−グロビンイントロン２と、ＨＳ２、ＨＳ３、およびＨＳ４を含む複合ヒトβ−グロビン遺伝子座制御領域と、を含む、請求項２に記載のベクター。
【請求項４】
３’ＬＴＲにインスレーターをさらに含む、請求項１〜３のいずれか１項に記載のベクター。  
【請求項５】
前記インスレーターは、ニワトリβ−グロビン５’ＤｎａｓｅＩ−高感受性領域４（５’ＨＳ４）の最小ＣＴＣＦ結合部位エンハンサー遮断成分を含有する７７ｂｐのインスレーターエレメントＦＢ（ＦＩＩ／ＢＥＡＤ−Ａ）を含む、請求項４に記載のベクター。
【請求項６】
前記ベクターは、ψ領域ベクターゲノムのパッケージングシグナルを含む、請求項１〜５のいずれか１項に記載のベクター。
【請求項７】
５’ＬＴＲは、ＣＭＶエンハンサー／プロモーターを含む、請求項１〜６のいずれか１項に記載のベクター。
【請求項８】
Ｒｅｖ応答エレメント（ＲＲＥ）を含む、請求項１〜７のいずれか１項に記載のベクター。
【請求項９】
中央ポリプリン区域を含む、請求項１〜８のいずれか１項に記載のベクター。
【請求項１０】
翻訳後調節エレメントを含む、請求項１〜９のいずれか１項に記載のベクター。
【請求項１１】
転写後調節エレメントは、修飾ウッドチャック転写後調節エレメント（ＷＰＲＥ）である、請求項１０に記載のベクター。
【請求項１２】
組換えを通して野生型レンチウイルスを再構成することができない、請求項１〜１１のいずれか１項に記載のベクター。
【請求項１３】
請求項１〜１２のいずれか１項に記載のベクターを導入した、宿主細胞。
【請求項１４】
前記細胞は、幹細胞である、請求項１３に記載の宿主細胞。
【請求項１５】
前記細胞は、骨髄由来の幹細胞である、請求項１４に記載の宿主細胞。
【請求項１６】
前記細胞は、２９３Ｔ細胞である、請求項１３に記載の宿主細胞。
【請求項１７】
前記細胞は、ヒト造血前駆細胞である、請求項１３に記載の宿主細胞。
【請求項１８】
前記ヒト造血前駆細胞は、ＣＤ３４＋細胞である、請求項１７に記載の宿主細胞。
【請求項１９】
対象における鎌状赤血球症の治療における、請求項１〜１２のいずれか１項に記載のベクターの使用。
【請求項２０】
対象における鎌状赤血球症を治療するための医薬の製造における、請求項１〜１２のいずれか１項に記載のベクターの使用。
【請求項２１】
対象における鎌状赤血球症の治療における、請求項１〜１２のいずれか１項に記載のベクターで形質導入された細胞の使用。
【請求項２２】
対象における鎌状赤血球症を治療するための医薬の製造における、請求項１〜１２のいずれか１項に記載のベクターで形質導入された細胞の使用。
【請求項２３】
前記細胞は、幹細胞である、請求項２１または２２に記載の使用。
【請求項２４】
前記細胞は、骨髄由来の幹細胞である、請求項２３に記載の使用。
【請求項２５】
前記細胞は、ヒト造血前駆細胞である、請求項２１または２２に記載の使用。
【請求項２６】
前記ヒト造血前駆細胞は、ＣＤ３４＋細胞である、請求項２５に記載の使用。
【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
抽出製品が入れられている中空体（５）を形成する側面壁（２）と、入口壁（３）と、出口壁（４）と、を備える飲料供給用カプセルであって、
前記入口壁は、前記カプセル中に抽出液を注入するために前記カプセルに穴を開ける所定の経路に沿って延びる穴開け手段（２１）を備えた抽出装置（２０）によって穴が開けられることが意図された穴開け領域を備えており、
前記入口壁（３）の前記穴開け領域は、内側側面壁（１１）と外側側面壁（１２）と穴開け壁（１３）とを備え前記入口壁（３）の外側に突出する少なくとも１つの部分（１０）を備えており、
前記穴開け壁（１３）の幅（ｗ）は、前記内側及び外側側面壁（１１、１２）の間の距離に対応しており、
前記穴開け壁（１３）の幅（ｗ）は、１．５ｍｍ〜５ｍｍの範囲にあり、好ましくは２ｍｍ〜４ｍｍの範囲にある、カプセル。
【請求項２】
前記少なくとも１つの突起部分（１０）は、前記カプセルの中心軸（Ｘ）から測った半径（ａ）の円周経路に沿って延び、前記内側側面壁（１１）及び前記外側側面壁（１２）は、前記半径（ａ）から等しい距離に配置され、前記半径（ａ）は、５ｍｍ〜９ｍｍの範囲にあり、さらに好ましくは６ｍｍ〜８ｍｍの範囲にある、請求項１に記載のカプセル。
【請求項３】
前記内側及び外側側面壁（１１、１２）の間の距離に対応している前記穴開け壁（１３）の幅（ｗ）は、前記内側側面壁（１１）と前記外側側面壁（１２）との間に、前記抽出装置（２０）の前記穴開け手段（２１）の少なくとも一部分の通路を確保する、請求項１又は２に記載のカプセル。
【請求項４】
前記内側及び外側側面壁（１１、１２）の間の距離に対応している前記穴開け壁（１３）の幅（ｗ）は、前記抽出装置の前記穴開け手段（２１）において前記穴開け壁（１３）に接触している部分の放射方向寸法（ｄ）以上である、請求項１〜３のいずれかに記載のカプセル。
【請求項５】
前記内側及び外側側面壁（１１、１２）の間の距離に対応している前記穴開け壁（１３）の幅（ｗ）は、前記抽出装置の前記穴開け手段（２１）において前記穴開け壁（１３）に接触している部分の寸法（ｄ）の１．２〜３倍である、請求項４に記載のカプセル。
【請求項６】
前記突起部分（１０）の前記内側側面壁（１１）及び前記外壁（１２）は、前記カプセルの中心軸（Ｘ）に対して実質的に平行に配置されている、請求項１〜５のいずれかに記載のカプセル。
【請求項７】
前記穴開け壁（１３）は、前記カプセルの中心軸（Ｘ）に対して実質的に直交している、請求項１〜６のいずれかに記載のカプセル。
【請求項８】
前記少なくとも１つの突起部分（１０）は、前記カプセルの中心軸（ｘ）を通る平面においてＵ字形状断面を有する、請求項１〜７のいずれかに記載のカプセル。
【請求項９】
前記穴開け壁（１３）の厚さ（ｔｐ）は、前記突起部分（１０）の外側にある前記カプセルの前記入口壁（３）の厚さ（ｔ１）以下である、請求項１〜８のいずれかに記載のカプセル。
【請求項１０】
前記穴開け壁（１３）は、前記カプセルと同じ材料、又は、前記内側及び外側側面壁（１１、１２）に拘束された金属箔により構成されている、請求項１〜９のいずれかに記載のカプセル。
【請求項１１】
前記少なくとも１つの突起部分（１０）は、前記抽出装置の穴開け手段が配置されている円周経路の半径(ｂ）と等しい半径（ａ）の円周経路に沿って延びている、請求項１〜１０のいずれかに記載のカプセル。
【請求項１２】
前記側面壁（２）の外側に延びるフランジ様縁（６）と、前記抽出装置（２０）の少なくとも一部（２３）と協働することにより前記カプセルの密封係合を実現する少なくとも１つの密封手段（７）を備えている、請求項１〜１１のいずれかに記載のカプセル。
【請求項１３】
前記入口壁（３）上にて前記突起部分（１０）の前記内側及び外側側面壁（１１、１２）の少なくとも一方から延びることにより前記突出構造を外部補強する少なくとも１つのリブ（８）を備えた強化手段を備えている、請求項１〜１２のいずれかに記載のカプセル。
【請求項１４】
前記カプセルの前記入口壁（３）及び/又は前記側面壁（２）上に延びる少なくとも１つの凹部（９）を備える、請求項１〜１３のいずれかに記載のカプセル。
【請求項１５】
前記少なくとも１つの凹部（９）は、前記入口壁（３）を前記カプセルの前記側面壁（２）に接続する少なくとも１つの面（９ａ）を有している、請求項１４に記載のカプセル。
【請求項１６】
前記少なくとも１つの凹部（９）の前記面（９ａ）は、前記側面壁（２）及び前記入口壁（３）の両方に対して傾いている、請求項１５に記載のカプセル
【請求項１７】
前記少なくとも１つの凹部（９）の前記面（９ａ）は、前記カプセルの前記中心軸（Ｘ）に対して１０度〜６０度の範囲の角度（α）だけ傾いている、請求項１５又は１６に記載のカプセル。
【請求項１８】
前記少なくとも１つの凹部（９）は、前記突起部分（１０）の前記外側側面壁（１２）を前記側面壁（２）に接続する表面（９ａ）を備えている、請求項１４〜１７のいずれかに記載のカプセル。
【請求項１９】
飲料を供給するためのシステムであって、
請求項１〜１８のいずれかに記載のカプセル（１）と、所定の経路に沿って配置され抽出液を前記カプセルに投入するために穴を開ける穴開け手段(２１)を備えた抽出装置（２０）と、を備え、
前記カプセルの前記入口壁（３）の穴開け領域は、前記入口壁の外側へと突出する少なくとも１つの部分（１０）を備え、
前記部分（１０）は、内側側面壁（１１）と、外側側面壁（１２）と、前記抽出装置の前記穴開け手段によって穴を開けられる穴開け壁（１３）とを備え、
前記少なくとも１つの突起部分（１０）は前記抽出装置の穴開け手段が前記入口壁に穴を開ける経路に対応する経路に沿って延びている、システム。
【請求項２０】
前記内側と外側側面壁（１１、１２）との間の距離に対応している前記穴開け壁（１３）の幅（ｗ）は、前記抽出装置（２０）の前記穴開け手段（２１）の少なくとも一部が前記内側側面壁（１１）及び前記外側側面壁（１２）との間を通過できる幅となっている、請求項１９に記載のシステム。
【請求項２１】
前記内側と外側側面壁（１１、１２）との間の距離に対応している前記穴開け壁（１３）の幅（ｗ）は、前記抽出装置の前記穴開け手段（２１）の前記穴開け壁(１３)に接触する部分の放射方向寸法（ｄ）以上である、請求項１９又は２０に記載のシステム。
【請求項２２】
前記内側と外側側面壁（１１、１２）との間の距離に対応している前記穴開け壁（１３）の幅（ｗ）は、前記抽出装置の穴開け手段の前記穴開け壁（１３）に接触している部分の寸法（ｄ）の１．２〜３倍となっている、請求項２１に記載のシステム。
【請求項２３】
前記少なくとも１つの突起部分（１０）は、前記抽出装置の穴開け手段が配置される円周経路の半径（ｂ）と等しい半径（ａ）の円周経路に沿って延びる、請求項１９〜２２のいずれかに記載のシステム。
【請求項２４】
前記側面壁（２）の外側へと延びるフランジ様縁（６）と、前記抽出装置（２０）の少なくとも部分（２３）と協働して前記カプセルの密封係合を実現する少なくとも１つの密封手段（７）とを有する、請求項１９〜２３のいずれかに記載のシステム。
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
耳栓を作製する方法であって、
細長いコアを外側層で覆う工程であり、前記細長いコアは、第１材料を含み、前記外側層は、第２材料を含み、前記第２材料は、未活性の発泡剤を含む、工程と、
前記外側層の少なくとも一部分及び前記細長いコアを金型に位置付ける工程と、
前記細長いコアに接合された、音波減衰部分及びステム部分を形成するように、前記外側層の少なくとも一部分の前記発泡剤を活性化させる工程と、を含む、方法。
【請求項２】
前記第２材料が、未活性の膨張可能な球状発泡剤を含む、請求項１に記載の方法。
【請求項３】
前記第２材料が、未活性の化学発泡剤を含む、請求項１に記載の方法。
【請求項４】
耳栓を作製する方法であって、
第１材料を含む細長いコアを押し出す工程と、
前記細長いコアを第２材料を含む外側層で覆う工程であり、前記第２材料は、未活性の膨張可能な球状発泡剤、未活性の化学発泡剤、及びスチレン−エチレン−ブチレン−スチレン（ＳＥＢＳ）を含む、工程と、
前記外側層の少なくとも一部分及び前記細長いコアを金型に位置付ける工程と、
前記外側層の少なくとも一部分が膨張し、前記外側層が、前記細長いコアに接合された、音波減衰部分及びステム部分を含むように、前記外側層の少なくとも一部分に熱を加える工程と、を含む、方法。
【請求項５】
前記外側層は、前記細長いコアに熱接合される、請求項４に記載の方法。
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
第１の材料を含み、第１の端部及び第２の端部、並びに外側主表面を有する細長いコアと、
第２の材料を含み、前記細長いコアの前記外側主表面の少なくとも一部分を被覆する外層であって、前記第２の材料が、活性化されていない膨張性球体発泡剤及び活性化されていない化学発泡剤を含む、外層と、を備え、
前記活性化されていない発泡剤を、前記外層の体積を増加させるために活性化させることができ、前記コアが、前記外層の剛性を超える剛性を呈する、物品。
【請求項２】
前記第２の材料が、０．５重量％〜３重量％の活性化されていない化学発泡剤を含む、請求項１に記載の物品。
【請求項３】
第１の材料を含み、主表面を有する基材と、
第２の材料を含み、前記基材の前記主表面の少なくとも一部分を被覆する外層であって、前記第２の材料が、活性化されていない膨張性球体発泡剤及び活性化されていない化学発泡剤を含む、外層と、を備え、
前記活性化されていない発泡剤を、前記外層の体積を増加させるために活性化させることができ、前記基材が、前記外層の剛性を超える剛性を呈する、物品。
【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
カルスを宿主細胞に形質転換されたＤＮＡコンストラクトを含んでなる生物学的装置に接触させるステップを含んでなり、
前記ＤＮＡコンストラクトが５’から３’に向けて、遺伝子要素（１）配列番号１を有するＰＡＬプロモーターまたはその誘導体；および（２）ヒスチジン／フェニルアラニンアンモニア−リアーゼを発現する配列番号５を有する遺伝子またはその誘導体をこの順で含んでなる、ココアカルスからの１つまたは複数のフェノール化合物の生成を高める方法。
【請求項２】
請求項１に記載の方法において、前記ＤＮＡコンストラクトがプラスミド中にあることを特徴とする方法。
【請求項３】
請求項１に記載の方法において、前記ＤＮＡコンストラクトがＰＢＳＫＩＩ中にあることを特徴とする方法。
【請求項４】
請求項１に記載の方法において、前記宿主細胞が、酵母または細菌を含んでなることを特徴とする方法。
【請求項５】
請求項４に記載の方法において、前記細菌が、バチルス・プミルス（Ｂａｃｉｌｌｕｓ  ｐｕｍｉｌｕｓ）、または大腸菌（Ｅ．ｃｏｌｉ）を含んでなることを特徴とする方法。
【請求項６】
請求項１乃至５の何れか一項に記載の方法において、前記カルスが、前記生物学的装置との接触に先だってキトサン中で培養されることを特徴とする方法。
【請求項７】
請求項６に記載の方法において、前記キトサンが、６０％〜１００％アセチル化されていることを特徴とする方法。
【請求項８】
請求項６に記載の方法において、前記キトサンが、３〜２０個のグルコサミン単位および／またはＮ−アセチルグルコサミン単位を含んでなることを特徴とする方法。
【請求項９】
ココア配偶子細胞またはココア生殖器を宿主細胞に形質転換されたＤＮＡコンストラクトを含んでなる生物学的装置に接触させるステップを含んでなり、
前記ＤＮＡコンストラクトが５’から３’に向けて、遺伝子要素（１）配列番号１を有するＰＡＬプロモーターまたはその誘導体；および（２）ヒスチジン／フェニルアラニンアンモニア−リアーゼを発現する配列番号５を有する遺伝子またはその誘導体をこの順で含んでなる、方法によって栽培される、ココア植物。
【請求項１０】
宿主細胞に形質転換されたＤＮＡコンストラクトを含んでなる生物学的装置に接触させたココア細胞から、ココア植物を培養するステップを含んでなり、
前記ＤＮＡコンストラクトが５’から３’に向けて、遺伝子要素（１）配列番号１を有するＰＡＬプロモーターまたはその誘導体；および（２）ヒスチジン／フェニルアラニンアンモニア−リアーゼを発現する配列番号５を有する遺伝子またはその誘導体をこの順で含んでなる、ココア植物が１つまたは複数の疾患に罹患するのを予防する方法。
【請求項１１】
請求項１０に記載の方法において、前記疾患が真菌疾患であることを特徴とする方法。
【請求項１２】
カルスを宿主細胞に形質転換されたＤＮＡコンストラクトを含んでなる生物学的装置に接触させるステップを含んでなり、
前記ＤＮＡコンストラクトが５’から３’に向けて、遺伝子要素（１）ＰＡＬプロモーター、および（２）ヒスチジン／フェニルアラニンアンモニア−リアーゼを発現する遺伝子をこの順で含んでなり、
前記カルスを前記生物学的装置との接触に先だってキトサン中で培養する、ココアカルスからの１つまたは複数のフェノール化合物の生成を高める方法。
【請求項１３】
ココア配偶子細胞またはココア生殖器を宿主細胞に形質転換されたＤＮＡコンストラクトを含んでなる生物学的装置に接触させるステップを含んでなり、
前記ＤＮＡコンストラクトが５’から３’に向けて、遺伝子要素（１）ＰＡＬプロモーター、（２）ヒスチジン／フェニルアラニンアンモニア−リアーゼを発現する遺伝子、（３）リボソーム結合部位、および（４）ターミネーターをこの順で含んでなり、
前記ココア配偶子細胞またはココア生殖器を前記生物学的装置との接触に先だってキトサンに接触させる、方法によって栽培される、ココア植物。
【請求項１４】
宿主細胞に形質転換されたＤＮＡコンストラクトを含んでなる生物学的装置に接触させたココア細胞から、ココア植物を培養するステップを含んでなり、
前記ＤＮＡコンストラクトが５’から３’に向けて、遺伝子要素（１）ＰＡＬプロモーター、（２）ヒスチジン／フェニルアラニンアンモニア−リアーゼを発現する遺伝子、（３）リボソーム結合部位、および（４）ターミネーターをこの順で含んでなり、
前記ココア細胞を前記生物学的装置との接触に先だってキトサンに接触させる、ココア植物が１つまたは複数の疾患に罹患するのを予防する方法。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
医用撮像のためにガス流の流量に相当する差圧を発生させる測定装置（３）であって、前記測定装置（３）は少なくとも：
前記ガス流の流入口（５）、及び前記ガス流の流出口（６）と連通する長手方向流路（４）を備える中心本体（８）と、
前記中心本体（８）を取り囲むケーシング（９）と、
前記ケーシング（９）と前記中心本体（８）との間に配置されて、上流圧力を測定するための第１空間（１０）、及び下流圧力を測定するための第２空間（１１）を画定するシール部材（７ａ，７ｂ，７ｃ，７ｄ）と、を備え、前記第１及び第２空間の各空間は、少なくとも１つの長手方向流路（４）と連通し、第３空間（１２）には、温度調整された流体が供給されて前記中心本体（８）を加温する、測定装置（３）。
【請求項２】
前記中心本体（８）及び前記ケーシング（９）が、互いに分解することができ、かつ互いに対して、前記中心本体及び前記ケーシングの長手軸線方向に沿って嵌合させることができる、請求項１に記載の測定装置（３）。
【請求項３】
前記中心本体（８）が、前記シール部材（７ａ，７ｂ，７ｃ，７ｄ）の収容部（２４ａ，２４ｂ，２４ｃ，２４ｄ）を画定し、かつ前記第１、第２、及び第３空間（１０，１１，１２）を画定する外周溝を備える、請求項１または２のいずれか一項に記載の測定装置（３）。
【請求項４】
前記中心本体（８）が、前記第３空間（１２）の内部に突出する熱伝導フィン（２５）を備える、請求項１から３のいずれか一項に記載の測定装置（３）。
【請求項５】
前記測定装置が、４つのリング状シール部材（７ａ，７ｂ，７ｃ，７ｄ）を備え、これらのリング状シール部材は、互いのシール部材の間に、前記第１空間（１０）、前記第３空間（１２）、及び前記第２空間（１１）を順次画定する、請求項１から４のいずれか一項に記載の測定装置（３）。
【請求項６】
前記測定装置が、前記ケーシング（９）の外部と通じる空気導管（３８）内に配置され、かつ前記第３空間（１２）と連通する電気式空気加熱システム（４３，４６，４７）を備える、請求項１から５のいずれか一項に記載の測定装置（３）。
【請求項７】
医用撮像解析される患者の体（２）の少なくとも１つの運動部位（６０）の位置を検出する検出装置（１）であって、前記検出装置（１）は、請求項１から６のいずれか一項に記載の測定装置（３）を備え、前記検出装置（１）は、前記上流圧力と前記下流圧力との差圧の測定値を表わすデータを供給するように配置される電子管理モジュール（３０）を備え、前記データを処理して、入力デジタル同期信号（４１）または出力デジタル同期信号（４２）に一致する前記患者の呼吸気量を表わすデータのデジタル信号（４０）を生成する、検出装置（１）。
【請求項８】
前記検出装置（１）が、前記測定装置（３）及び前記電子管理モジュール（３０）を収容する携帯型ケース（４９，５０）を備え、前記ケース（４９，５０）は、解析対象の前記部位からずれて位置する、請求項７に記載の検出装置（１）。
【請求項９】
前記検出装置（１）が吸入器（５１）を備え、前記患者は前記吸入器で呼吸し、この吸入器（５１）は、前記測定装置（３）と通じる前記流入口（５）にコネクタ（５３）を備える接続チューブ（５２）に接合され、前記測定装置（３）の流出口（６）は、外気と通じる空間と連通し、前記コネクタ（５３）及び前記測定装置（３）は、解析対象の前記部位（６０）からずれて位置する、請求項７または請求項８に記載の検出装置（１）。
【請求項１０】
陽電子放射断層撮影（ＰＥＴ）装置、コンピュータ断層撮影（ＣＴ）診断装置、または磁気共鳴イメージング（ＭＲＩ）診断装置とすることができる少なくとも１つの医用撮像装置（３６）を備える医用画像診断装置（３５）であって、前記医用画像診断装置（３５）は、患者の体の少なくとも１つの運動部位（６０）の位置を検出する請求項７から９のいずれか一項に記載の検出装置（１）を備え、前記部位（６０）は、前記検出装置（３）と通信する前記医用撮像装置（３５）によって解析される、医用画像診断装置（３５）。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
食品接触物品であって、
１重量％未満の油を含む無希釈エチレン／オクテンマルチブロックコポリマーを含むポリマー組成物を含み、エチレン／オクテンマルチブロックコポリマーは、直線の様式で接続した硬質セグメントと軟質セグメントとを含み、軟質セグメント中、オクテンから誘導される単位を１０ｍｏｌ％〜２０ｍｏｌ％含み、
この物品は、総色変化値ΔＥが２０未満であり、
ここで、
【数１】
2015529480.tif 000001
であり、ΔＬは、染まった物品と染まっていない物品の明度の差であり、Δａは、染まった物品と染まっていない物品の緑色から赤色への指標の差であり、Δｂは、染まった物品と染まっていない物品の青色から黄色への指標の差である、食品接触物品。
【請求項２】
無希釈オレフィンブロックコポリマーは、ＥＮ１１８６−２にしたがって測定した場合、最終的な移動が１０ｍｇ／ｄｍ２未満である、請求項１に記載の食品接触物品。
【請求項３】
ポリマー組成物は、ショアＡ硬さが６０〜９５である、請求項１に記載の食品接触物品。
【請求項４】
物品は、オーバーモールドされた物品である、請求項１に記載の食品接触物品。
【請求項５】
１重量％未満の油を含む無希釈エチレン／オクテンマルチブロックコポリマーを含み、エチレン／オクテンマルチブロックコポリマーが、直線の様式で接続した硬質セグメントと軟質セグメントとを含み、軟質セグメント中、オクテンから誘導される単位を１０ｍｏｌ％〜２０ｍｏｌ％含みポリマー組成物を含む、食品接触物品を提供することと；
食品接触物品と、食べられる染みとを接触させることと；
食品接触物品から、食べられる染みを除去することと、
食品接触物品について、総色変化ΔＥが２０未満を示すこととを含み、
ここで、
【数２】
2015529480.tif 000002
であり、ΔＬは、染まった物品と染まっていない物品の明度の差であり、Δａは、染まった物品と染まっていない物品の緑色から赤色への指標の差であり、Δｂは、染まった物品と染まっていない物品の青色から黄色への指標の差である、食べ物を接触させるためのプロセス。 
【手続補正２】
【補正対象書類名】明細書
【補正対象項目名】０１０５
【補正方法】変更
【補正の内容】
【０１０５】
本開示は、本明細書に含まれる実施形態および説明に限定されないが、以下の特許請求の範囲に入るような実施形態の一部、および異なる実施形態の要素の組み合わせを含むこれらの実施形態の改変された形態を含むことを特定的に意図している。
本願発明には以下の態様が含まれる。
［１］
食品接触物品であって、
無希釈オレフィンブロックコポリマーを含むポリマー組成物を含み；
この物品は、総色変化値ΔＥが２０未満である、食品接触物品。
［２］
無希釈オレフィンブロックコポリマーは、ＥＮ  １１８６−２にしたがって測定した場合、最終的な移動が１０ｍｇ／ｄｍ２未満である、上記［１］に記載の食品接触物品。
［３］
無希釈オレフィンブロックコポリマーは、軟質セグメント中にオクテンから誘導される単位を１０ｍｏｌ％〜２０ｍｏｌ％含む、エチレン／オクテンマルチ−ブロックコポリマーである、上記［１］に記載の食品接触物品。
［４］
ポリマー組成物は、ショアＡ硬さが６０〜９５である、上記［１］に記載の食品接触物品。
［５］
ポリマー組成物は、無希釈オレフィンブロックコポリマーと、エチレン系ポリマー、プロピレン系ポリマー、プロピレンインパクトコポリマー、およびこれらの組み合わせからなる群から選択されるブレンド成分とを含む、上記［１］に記載の食品接触物品。
［６］
食品と接触したとき、食べられる染みを含む、上記［１］に記載の食品接触物品。
［７］
食べられる染みが、ケチャップであり、物品は、総色変化値ΔＥが０から１０未満である、上記［６］に記載の食品接触物品。
［８］
物品は、オーバーモールドされた物品である、上記［１］に記載の食品接触物品。
［９］
物品は、スパチュラである、上記［１］に記載の食品接触物品。
［１０］
物品は、容器である、上記［１］に記載の食品接触物品。
［１１］
無希釈オレフィンブロックコポリマーを含む食品接触物品を提供することと；
食品接触物品と、食べられる染みとを接触させることと；
食品接触物品から、食べられる染みを除去することと、
食品接触物品について、総色変化ΔＥが２０未満を示すこととを含む、食べ物を接触させるためのプロセス。
［１２］
物品とケチャップとを接触させることを含み、この物品について、総色変化ΔＥが１０未満を示す、上記［１１］に記載のプロセス。
［１３］
物品とマスタードとを接触させることを含み、この物品について、総色変化ΔＥが２０未満を示す、上記［１１］に記載のプロセス。
［１４］
接触させることは、容器である食品接触物品の中に食べられる染みを置くことを含む、上記［１１］に記載のプロセス。